(57)【要約】【課題】図書館における蔵書点検時に、書架にて資料の書誌情報を読み取り、読み取った書誌情報をサーバ装置に転送して点検処理を行い、その点検結果をその場で確認できるようにする。【解決手段】サーバ装置１１は、図書目録ＤＢ１２ａ，雑誌目録ＤＢ１２ｂ，点検ＤＢ１２ｄにアクセス可能とし、図書館員側クライアント装置１３とネットワークを介して接続される。サーバ装置１１は、目録ＤＢ１２ａ，１２ｂに登録された目録情報から資料ＩＤを含む所定の情報を抽出し、その情報を用いて点検情報を生成して点検ＤＢ１２ｄに登録する。クライアント装置１３は、資料毎の資料ＩＤを含む書誌情報を読み取る読取装置１４と無線又は有線を介して接続され、読取装置１４により読み取った書誌情報をサーバ装置１１に転送する。サーバ装置１１は、前記転送された書誌情報と点検ＤＢ１２ｄに登録した点検情報とを比較し、その点検結果をクライアント装置１３に出力する。【選択図】　　　　図１
2004110322.tif 000002
【特許請求の範囲】
【請求項１】
図書又は雑誌の資料ＩＤを含む目録情報を登録した目録データベースにアクセス可能とするとともに、図書又は雑誌の点検に関する点検情報を登録するための点検データベースにアクセス可能とし、前記目録データベースに登録された目録情報から資料ＩＤを含む所定の情報を抽出し、該抽出した所定の情報を用いて点検情報を生成する点検情報生成手段と、該生成した点検情報を前記点検データベースに登録する点検情報登録手段とを有するサーバ装置と、図書館員が業務に使用する端末装置とがネットワークを介して接続された図書館における蔵書点検システムにおいて、前記端末装置は、図書又は雑誌毎に割り当てられた資料ＩＤを含む書誌情報を読み取る読取手段と無線又は有線を介して接続され、該読取手段により読み取った書誌情報を前記サーバ装置に転送する手段を有し、前記サーバ装置は、前記端末装置から転送された書誌情報と前記点検データベースに登録した点検情報とを比較する比較手段と、該比較した結果を点検結果として前記端末装置に出力する出力手段とを有することを特徴とする図書館における蔵書点検システム。
【請求項２】
請求項１に記載の図書館における蔵書点検システムにおいて、前記点検情報及び書誌情報は、資料ＩＤ，所在，請求記号のいずれか１又は複数を少なくとも含むことを特徴とする図書館における蔵書点検システム。
【請求項３】
請求項１または２に記載の図書館における蔵書点検システムにおいて、前記比較手段は、前記端末装置から転送された書誌情報に含まれる資料ＩＤと前記点検データベースに登録した資料ＩＤとを比較することにより、紛失した図書又は雑誌が発見されたかどうか判断し、該紛失した図書又は雑誌を発見したと判断した場合、前記出力手段は、点検結果を発見状態として前記端末装置に出力することを特徴とする図書館における蔵書点検システム。
【請求項４】
請求項１ないし３のいずれか１に記載の図書館における蔵書点検システムにおいて、前記比較手段は、前記端末装置から転送された所在と前記点検データベースに登録した所在とを比較することにより、図書又は雑誌が本来あるべき所在に存在しているかどうか判断し、該図書又は雑誌が本来あるべき所在に存在していないと判断した場合、前記出力手段は、点検結果を所在誤り状態として前記端末装置に出力することを特徴とする図書館における蔵書点検システム。
【請求項５】
請求項１ないし４のいずれか１に記載の図書館における蔵書点検システムにおいて、前記比較手段は、前記端末装置から転送された書誌情報に含まれる請求記号を保持するとともに、該請求記号に応じた図書又は雑誌の直前及び直後の図書又は雑誌に応じた請求記号を保持することにより、当該図書又は雑誌の並び順が請求記号順に並んでいるかどうか判断し、該図書又は雑誌の並び順が請求記号順に並んでいないと判断した場合、前記出力手段は、点検結果を並び順誤り状態として前記端末装置に出力することを特徴とする図書館における蔵書点検システム。
【請求項６】
請求項５に記載の図書館における蔵書点検システムにおいて、前記サーバ装置は、点検時に図書又は雑誌の並び順を点検するかどうか指定可能としたことを特徴とする図書館おける蔵書点検システム。
【請求項７】
請求項１ないし６のいずれか１に記載の図書館における蔵書点検システムにおいて、前記サーバ装置は、前記読取手段により読取区画毎に読み取る請求記号の範囲を設定する請求記号範囲設定手段を有し、前記比較手段は、前記端末装置から転送された書誌情報に含まれる請求記号が前記請求記号範囲設定手段により設定した請求記号の範囲に含まれるかどうか判断し、当該請求記号が請求記号の範囲外にあると判断した場合、前記出力手段は、点検結果を請求記号誤り状態として前記端末装置に出力することを特徴とする図書館における蔵書点検システム。
【請求項８】
請求項１ないし７のいずれか１に記載の図書館における蔵書点検システムにおいて、前記出力手段は、前記比較手段により比較した結果を前記端末装置の画面上に表示することを特徴とする図書館における蔵書点検システム。
【請求項９】
請求項８に記載の図書館における蔵書点検システムにおいて、前記端末装置は、画面上における任意の領域に、点検に関する属性情報を入力するための入力欄を設けたことを特徴とする図書館における蔵書点検システム。
【請求項１０】
請求項１ないし７のいずれか１に記載の図書館における蔵書点検システムにおいて、前記端末装置は、前記サーバ装置からのデータを音声出力する手段を有し、前記出力手段は、前記比較手段により比較した結果を前記端末装置から音声出力することを特徴とする図書館における蔵書点検システム。
【請求項１１】
請求項１ないし１０のいずれか１に記載の図書館における蔵書点検システムにおいて、前記サーバ装置は、前記読取手段により読取区画毎に読み取った図書又は雑誌の書誌情報のファイルを前記端末装置から受信することによりファイル単位で点検結果を出力するファイル点検処理と、前記読取手段により読み取った図書又は雑誌の書誌情報を前記端末装置から受信することにより点検結果をリアルタイムに出力するリアルタイム点検処理とを選択できるようにしたことを特徴とする図書館における蔵書点検システム。
【請求項１２】
請求項１ないし１１のいずれか１に記載の図書館における蔵書点検システムにおいて、前記サーバ装置は、前記読取手段により図書又は雑誌の書誌情報を誤って読み取った場合、該書誌情報を選択することにより取り消しできるようにしたことを特徴とする図書館における蔵書点検システム。
【請求項１３】
請求項１ないし１２のいずれか１に記載の図書館における蔵書点検システムにおいて、前記端末装置は、携帯可能な端末であることを特徴とする図書館における蔵書点検システム。
【請求項１４】
請求項１ないし１３のいずれか１に記載の図書館における蔵書点検システムにおいて、前記サーバ装置は、図書又は雑誌の貸出に関する貸出情報と、予約に関する予約情報とを登録した閲覧データベースにアクセス可能とし、前記点検情報生成手段は、前記目録データベースから抽出した資料ＩＤに応じた貸出情報及び予約情報を前記閲覧データベースから抽出し、該抽出した貸出情報及び予約情報を含めて点検情報を生成することを特徴とする図書館における蔵書点検システム。
【請求項１５】
請求項１ないし１４のいずれか１に記載の図書館における蔵書点検システムとしての機能を実行させるためのプログラム。
【請求項１６】
請求項１５に記載のプログラムを記録したコンピュータ読取可能な記録媒体。
【発明の詳細な説明】
【０００１】
【発明の属する技術分野】
本発明は、図書館における蔵書点検システム、プログラム、及び記録媒体、より詳細には、図書館が所蔵する図書又は雑誌の点検業務を支援するための図書館における蔵書点検システム、プログラム、及び記録媒体に関する。
【０００２】
【従来の技術】
図書館において、コンピュータ等を用いて各種情報の管理を実現するための図書館情報管理システムに要求される機能は、目録管理機能（基本機能）、閲覧管理機能、雑誌管理機能、蔵書点検機能、発注受入機能、相互貸借機能、図書検索機能等からなり、１つの基本機能及び６つのサブ機能に大きく分類される。
【０００３】
ここで、従来の蔵書点検システムにおいて、例えばハンディターミナル等の読取装置を用いて書架にある資料（図書又は雑誌）に貼付されているバーコード等を点検範囲とする冊数分について読み取り、読み取ったデータをファイル単位でサーバ装置へ転送した後、ファイル単位で点検処理が完了するまでは点検結果を取得することができなかった。この際、図書館員は、読取装置によって読み取られたバーコードのデータをサーバ装置に転送するために書架とサーバ装置の設置場所とを行き来しなければならない。また、点検結果がわかった後に、点検結果に基づいて異常資料を発見し、資料の配架等を修正するためには書架まで行く必要がある。このため、点検作業としては、バーコード読取作業時と、点検結果修正時の最低２回（場合によってはそれ以上）、書架に行く必要があった。特に、点検結果修正時において、例えば、点検結果が「配架誤りー並び順」であった場合、異常の資料を書架から探し出し、資料を本来の所在に移動させる作業が必要となるために、非効率な作業となっていた。
【０００４】
上記のような蔵書点検に関する作業を効率化するための従来技術としては、図書に貼付されたラベル情報等を読み取る読み取り装置を備えた携帯端末を用いて図書の所在を点検することにより、点検結果をホストコンピュータまで確認しに行く必要をなくし、蔵書点検作業の効率化を図るようにしたものが開示されている。（例えば、特許文献１参照）
【０００５】
【特許文献１】
特開平８−２２１４２８号公報
【発明が解決しようとする課題】
しかしながら、上記特許文献１に記載の発明は、点検に使用するための点検情報を携帯端末側に作成し、ホストコンピュータに接続することなく、蔵書点検を行えるようにしたものであるが、携帯端末側において、蔵書点検の度に点検情報を作成し、その点検結果も蓄積されることになる。このような場合、ホストコンピュータによって点検業務の進捗状況や結果などを一元的に管理することが難しくなる。
【０００６】
本発明は、上述のごとき実情に鑑みてなされたものであり、図書館における蔵書点検業務を効率的に行うことができる蔵書点検システム、プログラム、及び記録媒体を提供すること、を目的としてなされたものであり、より具体的には、図書館における蔵書点検時に、書架において図書又は雑誌の書誌情報を読み取り、その読み取った書誌情報をサーバ装置に転送して点検処理を行い、その点検結果をその場で確認できるようにすること、また、サーバ装置により点検業務の進捗状況や結果などを一元的に管理できるようにすること、をその目的とする。
【０００７】
【課題を解決するための手段】
請求項１の発明は、図書又は雑誌の資料ＩＤを含む目録情報を登録した目録データベースにアクセス可能とするとともに、図書又は雑誌の点検に関する点検情報を登録するための点検データベースにアクセス可能とし、前記目録データベースに登録された目録情報から資料ＩＤを含む所定の情報を抽出し、該抽出した所定の情報を用いて点検情報を生成する点検情報生成手段と、該生成した点検情報を前記点検データベースに登録する点検情報登録手段とを有するサーバ装置と、図書館員が業務に使用する端末装置とがネットワークを介して接続された図書館における蔵書点検システムにおいて、前記端末装置は、図書又は雑誌毎に割り当てられた資料ＩＤを含む書誌情報を読み取る読取手段と無線又は有線を介して接続され、該読取手段により読み取った書誌情報を前記サーバ装置に転送する手段を有し、前記サーバ装置は、前記端末装置から転送された書誌情報と前記点検データベースに登録した点検情報とを比較する比較手段と、該比較した結果を点検結果として前記端末装置に出力する出力手段とを有することを特徴としたものである。
【０００８】
請求項１に記載の図書館における蔵書点検システムにおいて、前記点検情報及び書誌情報は、資料ＩＤ，所在，請求記号のいずれか１又は複数を少なくとも含むことを特徴としたものである。
【０００９】
請求項１または２に記載の図書館における蔵書点検システムにおいて、前記比較手段は、前記端末装置から転送された書誌情報に含まれる資料ＩＤと前記点検データベースに登録した資料ＩＤとを比較することにより、紛失した図書又は雑誌が発見されたかどうか判断し、該紛失した図書又は雑誌を発見したと判断した場合、前記出力手段は、点検結果を発見状態として前記端末装置に出力することを特徴としたものである。
【００１０】
請求項１ないし３のいずれか１に記載の図書館における蔵書点検システムにおいて、前記比較手段は、前記端末装置から転送された所在と前記点検データベースに登録した所在とを比較することにより、図書又は雑誌が本来あるべき所在に存在しているかどうか判断し、該図書又は雑誌が本来あるべき所在に存在していないと判断した場合、前記出力手段は、点検結果を所在誤り状態として前記端末装置に出力することを特徴としたものである。
【００１１】
請求項１ないし４のいずれか１に記載の図書館における蔵書点検システムにおいて、前記比較手段は、前記端末装置から転送された書誌情報に含まれる請求記号を保持するとともに、該請求記号に応じた図書又は雑誌の直前及び直後の図書又は雑誌に応じた請求記号を保持することにより、当該図書又は雑誌の並び順が請求記号順に並んでいるかどうか判断し、該図書又は雑誌の並び順が請求記号順に並んでいないと判断した場合、前記出力手段は、点検結果を並び順誤り状態として前記端末装置に出力することを特徴としたものである。
【００１２】
請求項５に記載の図書館における蔵書点検システムにおいて、前記サーバ装置は、点検時に図書又は雑誌の並び順を点検するかどうか指定可能としたことを特徴としたものである。
【００１３】
請求項１ないし６のいずれか１に記載の図書館における蔵書点検システムにおいて、前記サーバ装置は、前記読取手段により読取区画毎に読み取る請求記号の範囲を設定する請求記号範囲設定手段を有し、前記比較手段は、前記端末装置から転送された書誌情報に含まれる請求記号が前記請求記号範囲設定手段により設定した請求記号の範囲に含まれるかどうか判断し、当該請求記号が請求記号の範囲外にあると判断した場合、前記出力手段は、点検結果を請求記号誤り状態として前記端末装置に出力することを特徴としたものである。
【００１４】
請求項１ないし７のいずれか１に記載の図書館における蔵書点検システムにおいて、前記出力手段は、前記比較手段により比較した結果を前記端末装置の画面上に表示することを特徴としたものである。
【００１５】
請求項８に記載の図書館における蔵書点検システムにおいて、前記端末装置は、画面上における任意の領域に、点検に関する属性情報を入力するための入力欄を設けたことを特徴としたものである。
【００１６】
請求項１ないし７のいずれか１に記載の図書館における蔵書点検システムにおいて、前記端末装置は、前記サーバ装置からのデータを音声出力する手段を有し、前記出力手段は、前記比較手段により比較した結果を前記端末装置から音声出力することを特徴としたものである。
【００１７】
請求項１ないし１０のいずれか１に記載の図書館における蔵書点検システムにおいて、前記サーバ装置は、前記読取手段により読取区画毎に読み取った図書又は雑誌の書誌情報のファイルを前記端末装置から受信することによりファイル単位で点検結果を出力するファイル点検処理と、前記読取手段により読み取った図書又は雑誌の書誌情報を前記端末装置から受信することにより点検結果をリアルタイムに出力するリアルタイム点検処理とを選択できるようにしたことを特徴としたものである。
【００１８】
請求項１ないし１１のいずれか１に記載の図書館における蔵書点検システムにおいて、前記サーバ装置は、前記読取手段により図書又は雑誌の書誌情報を誤って読み取った場合、該書誌情報を選択することにより取り消しできるようにしたことを特徴としたものである。
【００１９】
請求項１ないし１２のいずれか１に記載の図書館における蔵書点検システムにおいて、前記端末装置は、携帯可能な端末であることを特徴としたものである。
【００２０】
請求項１ないし１３のいずれか１に記載の図書館における蔵書点検システムにおいて、前記サーバ装置は、図書又は雑誌の貸出に関する貸出情報と、予約に関する予約情報とを登録した閲覧データベースにアクセス可能とし、前記点検情報生成手段は、前記目録データベースから抽出した資料ＩＤに応じた貸出情報及び予約情報を前記閲覧データベースから抽出し、該抽出した貸出情報及び予約情報を含めて点検情報を生成することを特徴としたものである。
【００２１】
請求項１ないし１４のいずれか１に記載の図書館における蔵書点検システムとしての機能を実行させるためのプログラムである。
【００２２】
請求項１５に記載のプログラムを記録したコンピュータ読取可能な記録媒体である。
【００２３】
【発明の実施の形態】
図１は、本発明の一実施形態に係る図書館における蔵書点検システムの構成例を示す図である。図中、１０は図書館で、該図書館１０は、図書館業務を管理するためのサーバ装置１１，図書館業務に係る各種データを格納する業務データベース（以下、業務ＤＢという）１２，図書館員が業務に使用する図書館員側クライアント装置１３，図書又は雑誌に貼付されたバーコード等を読み取るための読取装置１４，図書館の利用者が使用する利用者側クライアント装置１５を有し、２０はネットワークである。本実施形態におけるサーバ装置１１は業務ＤＢ１２にアクセス可能とし、各クライアント装置と図書館内のＬＡＮ等専用回線を介して接続されている。さらに、外部の関係機関や、他の図書館とネットワーク２０を介して接続することが可能である。
【００２４】
読取装置１４には、例えばバーコードリーダやハンディスキャナ等を好適に用いることができ、この読取装置１４は図書館員側クライアント装置１３と有線又は無線を介して接続されるものとする。読取装置１４が図書又は雑誌のバーコードから読み取ったデータは図書館員側クライアント装置１３に送られ、図書館員側クライアント装置１３からサーバ装置１１に転送される。本実施形態における図書館員側クライアント装置１３は、読取装置１４からデータを受け取り、受け取ったデータをサーバ装置１１へ転送する機能を有しているものとする。
【００２５】
また、サーバ装置１１には、後述する図２に示す各手段が有する機能を実行するためのプログラムが格納されている。これらのプログラムは、後述する各手段を図書館員等が利用する際に、操作が容易になるようにユーザインタフェースを備えている。
【００２６】
また、図１における各クライアント装置は、デスクトップ型パーソナルコンピュータ（以下ＰＣという）として図示しているが、ネットワーク接続可能なモバイルコンピュータであっても良く、使用形態に応じた形態であればよい。クライアント装置を複数台設置する場合、例えば無線又は有線によるＬＡＮ等によりネットワーク接続される必要がある。特に、図書館員側クライアント装置１３に、例えばノート又はサブノート型ＰＣや、ＰＤＡ（Ｐｅｒｓｏｎａｌ　Ｄｉｇｉｔａｌ　Ａｓｓｉｓｔａｎｔ）などの携帯可能な端末装置を用いることにより、図書館員は書架にて点検作業した結果をすぐに確認することができ、点検作業の大幅な効率化を図ることができる。
【００２７】
また、図１に示すネットワーク２０としては、有線、無線に限らず、専用回線、電話回線等で接続されたインターネットや、インターネット技術を利用したイントラネットの形態でもよく、さらには、専用回線を使用する場合でもＷＡＮ（Ｗｉｄｅ　Ａｒｅａ　Ｎｅｔｗｏｒｋ）やＭＡＮ（Ｍｅｔｒｏｐｏｌｉｔａｎ　Ａｒｅａ　Ｎｅｔｗｏｒｋ）に限らず、サーバ装置の設置場所によっては、ＬＡＮで構成される形態もとりうる。また、このネットワークには、専用回線の使用、伝送データの暗号化、各クライアント装置を使用するユーザの認証等、様々な方法によるセキュリティの強化が必要となる。
【００２８】
また、業務ＤＢ１２は、図書館員のみが業務に使用するＤＢであって、図書館の一般利用者がアクセスして検索や編集をすることはできない。この業務ＤＢ１２には、図書館員が業務で作成、変更するデータがすべて登録される。また、業務ＤＢ１２は複数のＤＢから成り、図書目録ＤＢ１２ａ，雑誌目録ＤＢ１２ｂ，閲覧ＤＢ１２ｃ，点検ＤＢ１２ｄなどを有している。
【００２９】
点検ＤＢ１２ｄは、図書または雑誌の点検業務を行う際に、図書目録ＤＢ１２ａ，雑誌目録ＤＢ１２ｂ，及び閲覧ＤＢ１２ｃから点検に必要な情報を抽出して生成される点検情報を管理するためのもので、点検対象の目録情報と点検履歴等の情報が管理される。ここで、本蔵書点検システムは、点検作業中に点検ＤＢ１２ｄのみを参照するため、点検開始時に点検ＤＢ１２ｄが生成、更新される。点検ＤＢ１２ｄは、点検管理データ、所蔵点検データ、及び区画点検データから構成される。点検管理データは、点検実施日や点検箇所、点検結果として紛失や発見の件数など、蔵書点検作業の履歴情報を管理し、所蔵点検データは、図書目録ＤＢ１２ａや雑誌目録ＤＢ１２ｂから点検に必要な目録情報を抽出して作成され、資料ＩＤや書名、例えば在庫、除籍、紛失、点検中に発見された異常等の資料の状態を管理する。区画点検データは、１回の作業で、バーコードリーダ，ハンディターミナル等により読み取るかたまり（以下、点検区画という）毎に作成され、点検件数等を管理する。
【００３０】
このように、本蔵書点検システムは、サーバ装置及び各種ＤＢを用いて、点検業務の進捗状況や結果などを一元的に管理することができるため、点検業務の管理を容易かつ効率的に行うことができる。
【００３１】
図２は、本発明の蔵書点検システムにおける蔵書点検機能を実行するサーバ装置１１の構成例を示す図で、サーバ装置１１は、点検情報生成手段１１ａ，点検情報登録手段１１ｂ，比較手段１１ｃ，出力手段１１ｄ，請求記号範囲設定手段１１ｅなどを有している。
【００３２】
以下、サーバ装置１１の各手段が有する機能について説明する。
まず、点検情報生成手段１１ａは、図書目録ＤＢ１２ａ又は雑誌目録ＤＢ１２ｂに登録された目録情報から少なくとも資料ＩＤ，所在，請求記号等を含む所定の情報を抽出し、その抽出した所定の情報を用いて点検に利用する点検情報を生成する。点検情報登録手段１１ｂは、点検情報生成手段１１ａにより生成した点検情報を点検ＤＢ１２ｄに登録する。この際、点検情報生成手段１１ａにより図書目録ＤＢ１２ａ又は雑誌目録ＤＢ１２ｂから点検に必要な情報を抽出して生成された点検情報の請求記号を、指定されたルールにより正規化して登録するようにしてもよい。また、点検情報生成手段１１ａは、図書目録ＤＢ１２ａ又は雑誌目録ＤＢ１２ｂから抽出した資料ＩＤに応じた貸出情報及び予約情報を閲覧ＤＢ１２ｃから抽出し、これらの情報を含めて点検情報を生成することができる。この閲覧ＤＢ１２ｃには、図書又は雑誌の貸出情報と予約情報とが登録されている。これにより、貸出状況や予約状況等を考慮した点検を実施することが可能となる。
【００３３】
ここで、読取装置１４は、図書又は雑誌に貼付されたバーコードラベルやＯＣＲラベル等（以下、バーコードで代表する）を読み取る。このバーコードは、例えば資料ＩＤ，所在，請求記号のいずれか１又は複数を含む書誌情報がコード化されたものであり、これらの書誌情報は、読取装置１４によって読み取られ、読み取られた書誌情報は図書館員側クライアント装置１３からサーバ装置１１に転送される。サーバ装置１１が有する比較手段１１ｃは、読取装置１４により読み取り、図書館員側クライアント装置１３から転送された書誌情報と、点検ＤＢ１２ｄに登録した点検情報とを比較することにより、図書又は雑誌における異常の有無を判断する。出力手段１１ｄは、比較手段１１ｃにより比較した結果を点検結果として図書館員側クライアント装置１３に出力する。
【００３４】
また、サーバ装置１１は、点検作業後における図書又は雑誌の状態それぞれを異なるコードに分類し、その異なるコードに分類した図書又は雑誌の状態を点検済状態として設定する機能を有する。この点検済状態とは、例えば図書又は雑誌が本来あるべき所在に配架されているかどうか、紛失した図書又は雑誌が発見されたかどうか、図書又は雑誌の並び順が正しいかどうかなどを判断した結果を示したものである。具体的には、図書又は雑誌の存在が期待され実際に存在が確認された状態又は存在しないことを期待され実際に存在が確認されなかった状態を示す正常状態，図書又は雑誌の存在が期待されていたが存在が確認されなかった状態を示す未点検状態，貸出中のため存在しないはずの図書又は雑誌を発見した状態を示す発見状態，本来あるべき所在とは別の所在で図書又は雑誌を発見した状態を示す配架誤り状態などに分類される。また、上記発見状態は、紛失中の図書又は雑誌、予約保留中の図書又は雑誌、除籍した図書又は雑誌のうちのいずれか１または複数を発見した状態を含むようにしてもよい。
【００３５】
ここで蔵書点検処理の実施例として、比較手段１１ｃは、図書館員側クライアント装置１３から転送された書誌情報に含まれる資料ＩＤと、点検ＤＢ１２ｄに登録した資料ＩＤとを比較することにより、紛失した図書又は雑誌が発見されたかどうか判断し、その紛失した図書又は雑誌を発見したと判断した場合、出力手段１１ｄは、点検結果を発見状態として図書館員側クライアント装置１３に出力することができる。本例の場合、資料ＩＤをキーとして比較、判断を行う。
【００３６】
また、他の例として、比較手段１１ｃは、図書館員側クライアント装置１３から転送された所在と、点検ＤＢ１２ｄに登録した所在とを比較することにより、図書又は雑誌が本来あるべき所在に存在しているかどうか判断し、その図書又は雑誌が本来あるべき所在に存在していないと判断した場合、出力手段１１ｄは、点検結果を所在誤り状態として図書館員側クライアント装置１３に出力することができる。本例の場合、所在に関する情報をキーとして比較、判断を行う。
【００３７】
また、他の例として、比較手段１１ｃは、図書館員側クライアント装置１３から転送された書誌情報に含まれる請求記号を保持するとともに、その請求記号に応じた図書又は雑誌の直前及び直後の図書又は雑誌に応じた請求記号を保持することにより、当該図書又は雑誌の並び順が請求記号順に並んでいるかどうか判断し、その図書又は雑誌の並び順が請求記号順に並んでいないと判断した場合、出力手段１１ｄは、点検結果を並び順誤り状態として図書館員側クライアント装置１３に出力することができる。この際、サーバ装置１１は、点検時に図書又は雑誌の並び順を点検するかどうか指定可能とする。具体的には、図書館員側クライアント装置１３の操作画面上から並び順点検を指定することができ、この並び順点検が指定された場合にサーバ装置１１は点検処理を実行する。
【００３８】
また、請求記号範囲設定手段１１ｅは、読取装置１４により点検区画毎に読み取る請求記号の範囲を設定する。比較手段１１ｃは、図書館員側クライアント装置１３から転送された書誌情報に含まれる請求記号が請求記号範囲設定手段１１ｅにより設定した請求記号の範囲に含まれるかどうか判断し、当該請求記号が請求記号の範囲外にあると判断した場合、出力手段１１ｄは、点検結果を請求記号誤り状態として図書館員側クライアント装置１３に出力することができる。
【００３９】
ここで、通常、図書館における図書や雑誌は、それぞれの分野（分類）ごとに配架され、さらにそれぞれの棚は、分類と著者などの情報を含んだ請求記号順に並べられ、その並べられた資料の背表紙には請求記号等を含むラベルが貼られている。図書館員は、図書館において蔵書点検を行う際に、このラベルを見ながら資料を正しい順序、すなわち、請求記号順に並べ替える作業を行う。従って、本発明によると、点検結果を書架にて確認することができるために、このような並べ替え作業を迅速かつ効率的に行うことができる。
【００４０】
ここで、出力手段１１ｄは、比較手段１１ｃにより比較した結果を点検結果として図書館員側クライアント装置１３の画面上に表示することができる。この際、画面上における任意の領域に、誰がどの書架をいつ点検したか等の点検に関する属性情報を入力するための入力欄を設けるようにしてもよい。また、点検結果出力手段の他の形態として、図書館員側クライアント装置１３にサーバ装置１１からのデータを音声出力する手段を持たせておき、比較手段１１ｃにより点検結果を図書館員側クライアント装置１３から音声出力するようにしてもよい。
【００４１】
図３は、本発明に係る蔵書点検作業の一例を説明するための図である。まず、書架において図書館員は、読取装置１４を用いて図書又は雑誌に貼付されたバーコードラベルや、ＯＣＲラベル等を読み取り、読み取ったデータ（資料ＩＤを含む）を図書館員側クライアント装置１３に送信し、図書館員側クライアント装置１３は、読取装置１４から受信したデータをサーバ装置１１（本例では図書館事務室に設置されている）に転送し、サーバ装置１１は、点検処理を実行した後に、その点検結果を図書館員側クライアント装置１３に出力する。
【００４２】
本発明によると、蔵書点検時に、書架において資料の書誌情報を読み込み、読み込んだ書誌情報に基づく点検結果を、端末装置を用いてその場で確認することができるために、図書館員はサーバ装置の設置場所まで行って点検結果を確認する必要がなくなり、点検作業を効率的に行うことができる。特に配架誤りがあった場合に、図書館員は資料を正しい順序に並べ替える作業を迅速かつ効率的に行うことができる。また、サーバ装置によって点検作業の進捗や結果などを一元管理することができる。
【００４３】
図４は、本発明が適用される図書館における蔵書点検方法の一例について説明するためのフロー図である。本例において、点検準備は、点検業務の計画を立案し、点検作業を行う環境を整えるためのステップである。まず、どのような内容の点検を何日間で行うか、その間に図書館のその他の業務をどのように行うか、どの所在を点検対象にするのか、などの点検業務の計画を立案する（ステップＳ１）。次に点検開始を宣言する（ステップＳ２）。次に点検対象範囲を指定する（ステップＳ３）。この点検対象範囲を指定すると、これから行う点検業務のための点検データが生成される。この点検データは図書目録ＤＢ１２ａのデータや、雑誌目録ＤＢ１２ｂのデータに基づいて、点検対象となる資料数だけ作成され、点検対象となる資料の資料ＩＤ，所在，請求記号，および正規化した請求記号などの情報が点検ＤＢ１２ｄにコピーされる。
【００４４】
次に、ステップＳ４における点検作業は、点検の開始の宣言から終了の宣言までの間に行う。この点検作業は、点検区画毎に、例えばハンディターミナル等を用いて取り込んだ資料ＩＤを含む書誌情報を点検ＤＢ１２ｄにあるデータと比較して点検結果を出力するためのステップである。この点検作業ステップには大きく２種類あり、後述の図５において詳細に説明するものとする。ステップＳ４において点検終了後、点検の終了を宣言するとともに、点検結果を反映して処理を終了する（ステップＳ５）。
【００４５】
図５は、図４に示した点検作業ステップにおける処理の一例を説明するためのフロー図である。まず、点検種別を選択する（ステップＳ１１）。この点検種別には２種類あり、第１に、読取装置１４により点検区画毎に読み取った図書又は雑誌の書誌情報のファイルを図書館員側クライアント装置１３から受信することによりファイル単位で点検結果を出力するファイル点検処理と、第２に、読取装置１４により読み取った図書又は雑誌の書誌情報を図書館員側クライアント装置１３から受信することにより点検結果をリアルタイムに出力するリアルタイム点検処理とに分けられ、図書館員によっていずれかの点検方法を選択することができる。次に、図書館員は、上記ファイル点検、又はリアルタイム点検のいずれかを選択し（ステップＳ１２）、リアルタイム点検を選択した場合、図書又は雑誌の並び順チェックを行うかどうか指定し（ステップＳ１３）、並び順チェックを行う場合（ＹＥＳの場合）、並び順チェックの指定欄で「あり」を指定する（ステップＳ１４）。また、ステップＳ１３において並び順チェックを行わない場合（ＮＯの場合）、並び順チェックの指定欄で「なし」を指定し、そのままステップＳ１５に移行する。
【００４６】
次に、バーコードリーダや、ハンディターミナル等の読取装置１４を用いて、図書又は雑誌のバーコードラベル等を読み込み（ステップＳ１５）、読み込んだデータを図書館員側クライアント装置１３からサーバ装置１１に転送する（ステップＳ１６）。サーバ装置１１は、図書館員側クライアント装置１３から転送された書誌情報と、点検ＤＢ１２ｄに登録した点検情報とを比較することにより、点検処理を行い、その点検結果を図書館員側クライアント装置１３にリアルタイムに出力する（ステップＳ１７）。点検の結果、例えば、並び順に間違いがあった資料は、正常な状態に戻す作業を実行しやすいように取り置いておく（ステップＳ１８）。次に、点検結果に基づき異常資料に対応し（ステップＳ１９）、処理を終了する。
【００４７】
また、図書館員は、ステップＳ１２においてファイル点検を選択した場合、ハンディターミナル等の読取装置１４を用いて点検区画毎にバーコードラベル等を読み込む（ステップＳ２０）。次に、図書館員側クライアント装置１３にファイルを作成する（ステップＳ２１）。これは、ハンディターミナルに蓄積された資料ＩＤの情報を図書館員側クライアント装置１３に転送してファイルとして登録するステップである。次に、図書館員側クライアント装置１３に作成したファイルをサーバ装置１１に転送して点検情報ファイルを作成する（ステップＳ２２）。この際、ステップＳ２１の処理を行わずに、上記ハンディターミナルにより読み込んだ資料ＩＤの情報を直接サーバ装置１１に転送して点検情報ファイルとして登録することも可能である。次に、サーバ装置１１に登録された点検情報ファイルに該当する点検区画を登録する（ステップＳ２３）。この点検区画を登録すると、点検ＤＢ１２ｄの所蔵点検データとファイルの内容が比較され、点検結果が出力される。点検の結果、例えば、配架誤りや紛失中の資料など正しい状態にないことがわかった資料は、正常な状態に戻す作業を行いやすいように取り置いておく（ステップＳ２４）。
【００４８】
図６は、本発明の蔵書点検システムにおける図書館員側クライアント装置１３の画面例を示した図で、図中、３０は点検処理を行うための画面例である。本例では、資料ＩＤ：２００２００１の資料についてリアルタイム点検した結果が表示されており、点検済状態の表示欄３１には点検結果として配架誤りが出力された状態を示している。
【００４９】
図７は、本発明の蔵書点検システムにおける図書館員側クライアント装置１３の他の画面例を示した図である。本例では、並び順チェックの指定欄３２を表示した状態を示しており、図書館員は、並び順チェックの指定欄３２により並び順チェックの有無を指定することができる。
【００５０】
図８は、本発明の蔵書点検システムにおける図書館員側クライアント装置１３の他の画面例を示した図である。本例では、点検種別の指定欄３３を表示した状態を示しており、図書館員は、点検種別の指定欄３３によりリアルタイム点検、又はファイル点検のいずれかを指定することができる。
【００５１】
図９は、本発明の蔵書点検システムにおける図書館員側クライアント装置１３の他の画面例を示した図である。本例では、読み込む区画の情報（所在、請求記号）の他に、誰がどの書架をいつ点検したか等の点検に関する属性情報を入力することができるメモ欄３４に属性情報が入力された状態を示しており、メモ欄３４に、「２００２／８／１に、２Ｆの書架を、森田が点検した」という内容が入力されている。
【００５２】
図１０は、本発明の蔵書点検システムにおける図書館員側クライアント装置１３の他の画面例を示した図で、３５は取消ボタンである。図書館員が読取装置１４により資料の書誌情報を誤って読み取った場合、該当する書誌情報を選択し、取消ボタン３５をクリックすることにより取り消すことができる。
【００５３】
以上、図書館における蔵書点検システムとしての機能を中心に説明したが、本発明は、図書館における蔵書点検方法としても説明したように、方法としての形態もとりうる。また、これら各機能を有する蔵書点検システムと同様に、コンピュータに蔵書点検システムとして機能させるためのプログラムとしての形態や、プログラムを記録した記録媒体としての形態も可能である。
【００５４】
本発明による蔵書点検の機能を実現するためのプログラムやデータを記憶した記録媒体の実施形態について説明する。記録媒体としては、具体的には、ＣＤ−ＲＯＭ、光磁気ディスク、ＤＶＤ−ＲＯＭ、ＦＤ、フラッシュメモリ、メモリカードや、メモリスティック及びその他各種ＲＯＭやＲＡＭ等が想定でき、これら記録媒体に上述した本発明の各実施形態のシステムの機能をコンピュータに実行させ、蔵書点検の機能を実現するためのプログラムを記録して流通させることにより、当該機能の実現を容易にする。そしてコンピュータ等の情報処理装置に上記の記録媒体を装着して情報処理装置によりプログラムを読み出すか、もしくは情報処理装置が備えている記憶媒体に当該プログラムを記憶させておき、必要に応じて読み出すことにより、本発明にかかわる蔵書点検の機能を実行することができる。
【００５５】
【発明の効果】
本発明によると、図書館における蔵書点検時に、書架において資料の書誌情報を読み取り、その読み取った書誌情報をサーバ装置に転送して点検処理を行い、その点検結果を、端末装置によりその場で確認することができるため、点検結果に基づいて異常のあった資料を効率的に修正することができる。特に、並び順が間違っていた場合に、点検と同時に並び順の修正を行うことができるため、点検業務の効率化を図ることができる。
【図面の簡単な説明】
【図１】本発明の一実施形態に係る図書館における蔵書点検システムの構成例を示す図である。
【図２】本発明の蔵書点検システムにおける蔵書点検機能を実行するサーバ装置の構成例を示す図である。
【図３】本発明に係る蔵書点検作業の一例を説明するための図である。
【図４】本発明が適用される図書館における蔵書点検方法の一例について説明するためのフロー図である。
【図５】図４に示した点検作業ステップにおける処理の一例を説明するためのフロー図である。
【図６】本発明の蔵書点検システムにおける図書館員側クライアント装置の画面例を示した図である。
【図７】本発明の蔵書点検システムにおける図書館員側クライアント装置の他の画面例を示した図である。
【図８】本発明の蔵書点検システムにおける図書館員側クライアント装置の他の画面例を示した図である。
【図９】本発明の蔵書点検システムにおける図書館員側クライアント装置の他の画面例を示した図である。
【図１０】本発明の蔵書点検システムにおける図書館員側クライアント装置の他の画面例を示した図である。
【符号の説明】
１０…図書館、１１…サーバ装置、１１ａ…点検情報生成手段、１１ｂ…点検情報登録手段、１１ｃ…比較手段、１１ｄ…出力手段、１１ｅ…請求記号範囲設定手段、１２…業務ＤＢ、１２ａ…図書目録ＤＢ、１２ｂ…雑誌目録ＤＢ、１２ｃ…閲覧ＤＢ、１２ｄ…点検ＤＢ、１３…図書館員側クライアント装置、１４…読取装置、１５…利用者側クライアント装置、２０…ネットワーク、３０…画面例、３１…点検済状態の表示欄、３２…並び順チェックの指定欄、３３…点検種別の指定欄、３４…メモ欄、３５…取消ボタン。
【図１】
2004110322.tif 000003
【図２】
2004110322.tif 000004
【図３】
2004110322.tif 000005
【図４】
2004110322.tif 000006
【図５】
2004110322.tif 000007
【図６】
2004110322.tif 000008
【図７】
2004110322.tif 000009
【図８】
2004110322.tif 000010
【図９】
2004110322.tif 000011
【図１０】
2004110322.tif 000012